【事件の表示】
　特願２０００−１３２７４２「遊技機」拒絶査定不服審判事件〔平成１３年１１月　６日出願公開、特開２００１−３１００５２〕について、次のとおり審決する。
【結　論】
　本件審判の請求は、成り立たない。
【理　由】
１．手続の経緯
　本願は、平成１２年５月１日の出願であって、平成２１年１月９日付け(１月１５日発送) で拒絶査定され、これに対し、同年２月１６日に拒絶査定不服審判の請求がなされ、同年３月１６日付けで手続補正がなされたものである。
　
２．平成２１年３月１６日付けの手続補正についての補正却下の決定
［補正却下の決定の結論］
　平成２１年３月１６日付けの手続補正を却下する。
　
［理由］
３．補正の内容
　平成２１年３月１６日付けの手続補正書(以下「本件補正」という。)により、特許請求の範囲は、
「【請求項１】
　他の装置に電力を供給する電源基板と、前記電源基板から供給された電力を受けて遊技機の制御を行うＣＰＵを含む制御基板と、前記制御基板をシールドするシールド部材とを備え、
　前記電源基板と前記制御基板とが、前記電源基板から前記制御基板に電力を供給するための供給線と、前記電源基板と前記制御基板とに基準電位を与えるためのグランド線とにより接続された遊技機において、
　前記シールド部材が前記制御基板の内側において前記グランド線と接続され、
　前記制御基板内のＣＰＵを含む回路が接続されたグランドが、ノイズの侵入を阻止可能なコイルを介して前記シールド部材が接続された前記グランド線と接続されていることを特徴とする遊技機。」
に補正された。
　
　本件補正は、補正前(平成２０年９月５日付け手続補正による補正)の請求項１における「制御基板」及び「制御基板内の回路」に「ＣＰＵを含む」という技術事項を加えて、それぞれ「ＣＰＵを含む制御基板」及び「制御基板内のＣＰＵを含む回路」としたものであって、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明(以下、「本願補正発明」という。)が、特許出願の際独立して特許を受けることができるものであるか否か(平成１８年法律第５５号改正附則第３条第１項によりなお従前の例によるとされる同法による改正前の特許法第１７条の２第５項において準用する同法第１２６条第５項の規定に適合するか)について、以下検討する。
　
４．引用文献に記載された事項
　原査定の拒絶の理由において引用文献として引用された特開平４−２４１８８９号公報(以下、「引用例１」という。)には、図面とともに、以下の事項が記載されている。　
ア．「【０００７】【実施例】以下、本発明の実施例を図面に基づいて説明する。図１、図２に示すように、１はパチンコ機の遊技盤、２は前面側からフレーム３内に遊技盤１を取付ける基盤（前面枠とも呼ぶ）、４は遊技盤１の前面を覆うカバーガラス、５は基盤２を支持する機枠である。遊技盤１は係止部材６ａ，６ｂにより基盤２のフレーム３内に着脱自由に、カバーガラス４はガラス枠７を介して基盤２に開閉可能に取付けられ、基盤２は機枠５にヒンジ８ａ，８ｂにより回動可能に組付けられる。９ａ，９ｂは基盤２の施錠フックである。遊技盤１の表面の遊技部には種々の入賞口やアウト口および多数の遊技釘等が配列され、遊技盤１の裏面には各入賞口に入賞した入賞球を案内する集合樋１０が形成される。基盤２のフレーム後部には遊技盤１の裏面の構造等に応じて所定の開口部が形成され、開口部後方には遊技盤１の裏面を覆う開閉カバー１１が取付けられる。基盤２の図左下部には球供給機構、発射杆１２、モータ１３等からなる打球発射装置１４が配設され、また基盤２のフレーム後面には下部に入賞球処理装置１５が、上部から右側部および下部にかけて賞球排出装置１６が配設される。」
　
イ．「【００２２】図１６、図１７、図１８には入賞球処理装置１５、賞球排出装置１６、打球発射装置１４等を制御する制御装置２００を示す。制御装置２００は、内部にＲＯＭやＲＡＭを備えるＣＰＵ（マイクロコンピュータ）２０１、ＣＰＵ２０１の入出力を処理するインターフェイス２０２、各入出力端子２０３〜２０８、タイマ発信回路２０９、電源回路２１０等からなり、ＣＰＵ２０１のＲＯＭには実行すべきプログラムおよび種々のデータを設定し、ＣＰＵ２０１のＲＡＭはＣＰＵ２０１のワークエリアやタイマエリアを提供する。制御装置２００の各入出力端子２０３〜２０８には、排出機構４２ａ（排出１側），４２ｂ（排出２側）の排出センサ７４ａ，７４ｂ（排出センサ１，２）、排出ソレノイド９２ａ，９２ｂ（排出Ｓｏｌ１，２）、入賞球処理装置１５のセーフセンサ２１（セーフセンサ）、賞球排出装置１６の球抜きセンサ、球抜きソレノイド１１６（球抜きＳｏｌ）、発射モータ１３等の各電気機器、主電源（２４Ｖ）ならびに図示しない遊技盤１側の制御装置が接続され、制御装置２００はＲＯＭのプログラムデータ、前記各センサならびに遊技盤１側の制御装置等からの信号に基づき、排出Ｓｏｌ１，２、球抜きＳｏｌ、発射モータ１３等を制御する。２１１は制御装置２００のリセットスイッチである。なお、回路中、賞品球の補給センサ５３、誘導樋４１の半端センサ６４、賞球排出樋４３のオーバーフロースイッチ１０９（オーバーフローＳＷ）等は図示省略してある。制御装置２００のＣＰＵ２０１には、電源断時にセーフセンサのオン回数（入賞数）ならびに遊技盤１側の制御装置からの賞球信号（後述する）の入力回数を記憶する不揮発性のＥＥＰＲＯＭが設けられる。」
　
ウ．「【００２８】一方、制御装置２００の構造は、図１８、図２６、図２７のようにＣＰＵ２０１、インタフェース２０２、入出力端子２０３〜２０８、タイマ発信回路２０９、電源回路２１０等の各電気部品を配設、接続した基板２２３および基板２２３を収納する金属製のケース２２４からなる。ＣＰＵ２０１等のＩＣ部品、トランジスタや比較的大きいコンデンサ等は基板２２３の表面に、各入出力端子２０３〜２０８、リセットスイッチ２１１は基板２２３の表面の四方周辺に配置され、小さな抵抗、コンデンサ等は基板２２３の裏面に配置されている。ケース２２４の本体２２６は、長手方向の２つの側面２２７と１端面２２８を折り曲げ成形して筺枠としたもので、側面２２７の内側に平行に小さな溝２２９が設けられ、この溝２２９に開口側から基板２２３をあてがい、差し込むようになっている。本体２２６の側面２２７および端面２２８には、外部から基板２２３の入出力端子２０５〜２０８に配線コネクタを着脱すると共に、リセットスイッチ２１１を操作するための開口部２３０〜２３２が形成されている。ケース２２４の蓋２３３は、本体２２６に合わせて側面２３４、端面２３５，２３６を折り曲げ成形され、このうち一方の端面２３６が本体２２６の開口を覆うように延長され、他の面２３４，２３５が本体２２６の開口部２３０〜２３２に重ならない高さに形成されている。蓋２３３の表面には、表示素子ＬＥＤ−Ａ〜Ｏからなる前述のモニタ表示部２１２が取付けられ、蓋２３３の端面２３６には、外部から基板２２３の入出力端子２０３，２０４に配線コネクタを着脱するための開口部２３７が形成されている。また、蓋２３３の端面２３６には、基板２２３のグランド面に当接する２つの当接片２３８が内側に折り曲げ成形されている。本体２２６の側面２２７には４つの嵌合凹部（小孔）２３９が設けられ、蓋２３３の側面２３４には内側に嵌合凹部２３９に嵌まる各嵌合凸部２４０が設けられている。
【００２９】基板２２３を本体２２６の開口側から溝２２９に差し込み、その開口側に蓋２３３の端面２３６を合わせながら蓋２３３をかぶせ、蓋２３３の嵌合凸部２４０を本体２２６の嵌合凹部２３９に嵌め合うと、基板２２３がケース２２４内に収納、支持されると共に、ケース２２４が組付けられる。また、この組付けと同時に蓋２３３の端面２３６の当接片２３８が基板２２３のグランド面に所定の押圧力で当接し、基板２２３のグランドがケース２２４に接続される。これにより、基板２２３が導電性のケース２２４によってシールドされる。この制御装置２００は、図１のように基盤２の裏面に配設されるが、この場合基盤２側に２組の弾性掛止部材（図示しない）が設けられ、その弾性掛止部材の間にケース２２４を押し込むことで、ケース本体２２６の突起２４１つまり溝２２９の加工による外面側の突起２４１が掛止され、取付けられる。そして、この制御装置２００のケース２２４の蓋２３３の表面に、前記誘導樋４１の導電性プレート５９ａ，５９ｂにつながる配線部材６２がネジ２４２を介して締結、接続される（図５参照）。なお、制御装置２００の基板２２３は制御装置２００の主電源（２４Ｖ）とグランドを兼ねている。」
　
エ．「【００３０】このように制御装置２００は、コンパクトな基板２２３をケース本体２２６の溝２２９に差し入れ、蓋２３３をかぶせて嵌合凸部２４０を嵌合凹部２３９に嵌めることで、基板２２３をケース２２４に的確に収納、支持でき、かつケース２２４を容易に組付けることができる。このため、制御装置２００を小型化、軽量化できると共に、ネジ等の止着部材を必要とせずに制御装置２００を簡単に組立てることができ、組付工程を大幅に削減できる。また、制御装置２００の基板２２３は、ケース２２４を組付ければ、蓋２３３の端面２３６の当接片２３８が基板２２３のグランド面に所定の押圧力で当接するので、接続にネジ、アース線等を用いずとも、基板２２３を収納する導電性のケース２２４にてシールドすることができる。このため、導電性のケース２２４全体にて基板２２３を簡単にシールドすることができ、このシールドによって外部からのノイズがケース２２４を透過して基板２２３のＩＣ部品等に影響を及ぼすことを確実に防止できる。また、この制御装置２００は基盤２の裏面に配設されるが、小型のため、取付け位置の設定が容易であり、基盤２を設計する上での自由度が高まる。なお、基盤２への取付け、取外しは、ケース本体２２６の溝２２９の裏側の突起２４１を利用することで、簡単に行うことができる。」
　
オ．「【００３１】この一方、図２３〜図２５の遊技盤１のように大当たり遊技が可能なものにあっては、多量の入賞球に対し賞球排出を短時間のうちに行うため、賞球排出系各部と流動するパチンコ球との摩擦により静電気が大量に発生してパチンコ球が帯電してしまうが、この静電気は賞球排出装置１６の誘導樋４１から導電性プレート５９ａ，５９ｂ、配線部材６２、減衰器６１、制御装置２００のケース２２４、基板２２３のグランドを介して吸収、放出される。即ち、賞品球の貯留タンク４０に続く誘導樋４１の通路底面に導電性プレート５９ａ，５９ｂを設け、導電性プレート５９ａ，５９ｂを抵抗器等の減衰器６１を介して制御装置２００のケース２２４に接続し、かつケース２２４を基板２２３のグランドに接続したので、誘導樋４１をパチンコ球が流下する際に、静電気は導電性プレート５９ａ，５９ｂから減衰器６１に導かれてエネルギを減衰され、さらに制御装置２００のケース２２４、基板２２３のグランドを介して制御装置２００の主電源側から外部に放出されるのである。このため、パチンコ球が賞球系のセンサ（排出センサ、セーフセンサ等）や遊技盤１側のセンサ（始動スイッチ、サイクルスイッチ、カウントスイッチ等）を通過する際に、パチンコ球から静電気の放電によってセンサが破壊されたり、センサが誤動作することを確実に防止できる。
また、導電性プレート５９ａ，５９ｂに放出された静電気は減衰器６１により減衰されるため、静電気のノイズにより制御装置２００の基板２２３に悪影響を及ぼすことはない。また、導電性プレート５９ａ，５９ｂを基盤２のフレーム側に接続して静電気をフレームに吸収させ自然放電させる方式だと、静電気の量が多い場合等には大地アースを接続しなければならないが、このように制御装置２００の主電源側から放出するため、静電気を確実に逃がすことができ、高い信頼度が得られる。また、このように制御装置２００の主電源側から放出するため、静電気を遊技盤１側の制御装置側から放出する場合のように、制御装置の構造によってノイズを吸収する性能が異なったり、遊技盤１を入れ替える毎に導電性プレート５９ａ，５９ｂの接続を行わなければならないといった不具合はない。なお、導電性プレート５９ａ，５９ｂは、賞品球の貯留タンク４０の底壁や排出機構４２ａ，４２ｂの各樋部に設けても良い。」
　
５．引用例１記載の発明の認定
　記載事項ア．によれば、引用例１が遊技機(パチンコ遊技機)に関する文献であることが分かる。
　
　記載事項イ．には、遊技機に設けられた排出Ｓｏｌ１，２、球抜きＳｏｌ、発射モータ１３等を制御する制御装置２００は内部にＣＰＵ２０１を備え、主電源と接続される点が記載されている。
　
　記載事項ウ．によれば、制御装置２００は、基板２２３と該基板２２３を収納する金属製ケース２２４とからなり、前記基板２２３にはＣＰＵ２０１等のＩＣ部品、トランジスタや比較的大きいコンデンサ等は基板２２３の表面に、各入出力端子２０３〜２０８、リセットスイッチ２１１は基板２２３の表面の四方周辺に配置されること、さらに前記基板２２３のグランド面が、(金属製ケース２２４の)蓋２３３に設けられた当接片２３８に当接することで、基板２２３のグランドがケース２２４に接続され、基板２２３が導電性の金属製ケース２２４によってシールドされること、及び基板２２３は制御装置２００の主電源とグランドを兼ねていることが記載されている。
　
　記載事項エ．によれば、基板２２３が金属製ケース２２４内に収納されシールドされることによって外部からのノイズが金属製ケース２２４を透過して基板２２３のＩＣ部品に影響を及ぼすことを防止できることが記載されている。
　
　記載事項オ．によれば、賞球排出系においてパチンコ球の流動によって発生した静電気のノイズは、(賞品球の)誘導樋４１の底面に設けた導電性プレート５９ａ，５９ｂ、減衰器６１、金属製ケース２２４、基板２２３のグランドを介して、制御装置２００の主電源側から放出されることが記載されている。
　
　以上を整理すると、引用例１には、
「主電源と、前記主電源と接続され、ＣＰＵ２０１等のＩＣ部品を配置した基板２２３及び、前記基板２２３をシールドする金属製ケース２２４とからなる制御装置２００を備え、
　前記基板２２３は前記主電源とグランドを兼ねており、
　前記金属製ケース２２４が蓋２３３に設けられた当接片２３８によって前記基板２２３のグランドと接続され、
　前記金属製ケース２２４に導通された静電気のノイズが、前記基板２２３の前記ＩＣ部品に影響を及ぼさないように、前記基板２２３のグランドを介して前記制御装置２００の前記主電源側から放出される遊技機。」
なる発明（以下、「引用発明１」という。）が開示されていると認めることができる。
　
６．本願補正発明と引用発明１の一致点及び相違点の認定
　引用発明１における「基板２２３」は、本願補正発明における「制御基板」に相当し、
　引用発明１における「金属製ケース２２４」は、本願補正発明における「シールド部材」に相当する。
　ここで、引用発明１における「主電源」は、遊技の制御を司る基板に対して電力を供給していること、遊技機の技術分野において制御基板に電源を供給する電源基板が周知であることを考え併せると、本願補正発明の「他の装置に電力を供給する電源基板」に相当することは自明である。
　なお、電源基板の周知技術として、特開平１１−３４７１８５号公報(電源供給基板３１)、特開２０００−１４８６７号公報(電源基板１５０)、特開２０００−６１０４６号公報(電源基板１０)を例示する。
　また、引用発明１の「ＣＰＵ２０１等のＩＣ部品」が、主電源から供給された電力を受けて遊技機の制御を行うことも自明であるから、引用発明１は本願補正発明の「電源基板から供給された電力を受けて遊技機の制御を行うＣＰＵを含む制御基板」に相当する構成を備えているといえる。
　さらに、引用発明１における「基板２２３のグランド」は、その基板上にＣＰＵ２０１等が配設されているから、遊技機における制御基板に係る技術常識を考慮すれば、本願補正発明における「制御基板内のＣＰＵを含む回路が接続されたグランド」に相当することも自明である。
　
　以上のことより、引用発明１と本願補正発明とは、
＜一致点＞
「他の装置に電力を供給する電源基板と、前記電源基板から供給された電力を受けて遊技機の制御を行うＣＰＵを含む制御基板と、前記制御基板をシールドするシールド部材とを備え、
　前記電源基板と前記制御基板とが接続され、
　前記制御基板内のＣＰＵを含む回路が接続されたグランドが前記シールド部材と接続されている遊技機。」
　である点で一致し、以下の点で相違している。
 ＜相違点１＞
　電源基板と制御基板の接続に関して、本願補正発明では「電源基板から制御基板に電力を供給するための供給線と、電源基板と制御基板とに基準電位を与えるためのグランド線とにより接続」されているのに対して、引用発明１では、どのような接続線を用いて接続されているか不明である点。
 ＜相違点２＞
　シールド部材の接続に関して、本願補正発明では「制御基板の内側においてグランド線と接続」されているが、引用発明１では、相違点１でも述べたとおり「グランド線」の存在が不明であるから、シールド部材とグランド線との接続も、接続される部位も不明である点。
 ＜相違点３＞
　制御基板内のＣＰＵを含む回路が接続されたグランドとシールド部材の接続に関して、本願補正発明では「ノイズの侵入を阻止可能なコイルを介して」いるのに対して、引用発明１では、そのような部材を介さずに接続されている点。
　
７．相違点の判断
 ＜相違点１＞について
　引用発明１の主電源は、基板２２３に対して電力を供給するものであるから、電源基板と制御基板とは、電力を供給するための供給線が存在することは当然のことである。
　また、引用発明１の金属製ケース２２４に導通された静電気のノイズが、基板２２３のグランドを介して、基板２２３のグランドと共通の該制御装置２００の主電源側から放出されるという記載、及び基板２２３は主電源とグランドを兼ねているという記載から、基板２２３と主電源とは供給線とは異なる接続線を有しており、その接続線は本願補正発明におけるグランド線の機能を有することは当業者にとって自明である。
　さらに、 原査定の拒絶の理由において引用された特開平７−５１４５７号公報(以下、「引用例２」という。)には、「制御回路基板10下方には、当該遊技機に電力を供給するための電源ライン30が設けられている。この電源ライン30は、その同軸内に、外側端がアース31に接続されたアース線32を有し、実際は遊技機の外部に延びている。(【００２１】)」と記載されており、電源部と制御(回路)基板とを、供給線とグランド線とで接続することが記載されている(以下「引用例２記載の技術」という。)。
　よって、相違点１に係る本願補正発明の構成については、引用発明１が実質的に有しているか、もしくは、引用例２記載の技術を適用して、当業者が容易に想到し得たものである。
　
 ＜相違点２＞について
　引用発明１において、金属製ケース２２４と基板２２３のグランドとは、金属製ケース２２４の蓋２３３に設けられた当接片２３８が、基板２２３のグランドに当接することによって接続されている。
　そして、上記接続によって金属製ケース２２４から基板２２３のグランドに伝えられたノイズを主電源側に放出させる際、上記＜相違点１＞についての項で検討した、基板２２３と主電源との間に存在するグランド線に相当する接続線を用いることは当然のことであり、また、シールド部材とグランド線とが電気的に接続されていれば、ノイズはシールド部材からグランド線へ流れるから、引用発明１のように基板２２３のグランドを介してシールド部材とグランド線を接続するか、本願補正発明のようにシールド部材とグランド線を接続するかは設計的事項である。
　さらに、引用発明１においてシールド部材である金属製ケース２２４は、グランド線に相当する接続線と基板２２３のグランド上で接続されていることになり、さらに、シールド部材とグランド線との接続部位を相違点２に係る本願補正発明の構成である「制御基板の内側」とすることに格別の技術的困難性はないから、相違点２に係る構成は、当業者が容易に想到し得たものである。
　
＜相違点３＞について
  上記引用例２には、「制御回路基板10に設けられた内部グランド22と基準線20とアース線32の接続に際して、基準線20とアース線32との間に、コイル状のインダクタンス70を設け、該インダクタンス70によって、前記アース線32から回路側に流れ込もうとする高周波ノイズを低減させる遊技機の制御回路の接地構造(以下「引用発明２」という。)。」が開示されている(【００２０】、【００２１】、【図１】)。
　これは、内部グランド22と該内部グランド22に接続されるノイズの流入路となりうるアース線32との間にコイル状のインダクタンス70を設けることによって、制御回路基板10上の電子回路に流れ込むノイズを吸収、低減させるものであるから、相違点３に係る本願補正発明の構成と軌を一にしており、引用発明１における外部からのノイズの侵入路である金属製ケース２２４と基板２２３のグランドとの接続を、引用発明２のコイル状のインダクタンスを介して行うことは当業者が容易に想到し得る程度のことである。
　そして、シールド部材とグランド線との接続については、上記＜相違点２＞についての項で検討したように設計的事項にすぎないから、引用発明１のシールド部材である金属製ケース２２４と基板２２３のグランドと接続線の接続態様に、引用発明２のコイル状のインダクタンス70を用いて、相違点３に係る本願補正発明の構成とすることは、当業者が容易に想到し得たものである。
　
　以上のように、本願補正発明は、引用発明１、引用例２記載の技術及び引用発明２に基づいて当業者が容易に発明をすることができたものである。
　したがって、本願補正発明は、特許法第２９条第２項の規定により、その特許出願の際に独立して特許を受けることができない。
　
８．本願補正発明についてのまとめ
　本件補正は、平成１８年法律第５５号改正附則第３条第１項によりなお従前の例によるとされる同法による改正前の特許法第１７条の２第５項において準用する同法第１２６条第５項の規定に違反するものであるから、特許法第１５９条第１項の規定において読み替えて準用する同法第５３条第１項の規定により却下すべきものである。
　
９．本願発明について
　(１)本願発明及び引用文献に記載された発明
　平成２１年３月１６日付けの手続補正は上記のとおり却下されたので、請求項に係る発明は、平成２０年９月５日付け手続補正により補正された特許請求の範囲に記載されたとおりのものである。
　そして、その請求項１により特定される発明は次のとおりである。
「【請求項１】
　他の装置に電力を供給する電源基板と、前記電源基板から供給された電力を受けて遊技機の制御を行う制御基板と、前記制御基板をシールドするシールド部材とを備え、
　前記電源基板と前記制御基板とが、前記電源基板から前記制御基板に電力を供給するための供給線と、前記電源基板と前記制御基板とに基準電位を与えるためのグランド線とにより接続された遊技機において、
　前記シールド部材が前記制御基板の内側において前記グランド線と接続され、
　前記制御基板内の回路が接続されたグランドが、ノイズの侵入を阻止可能なコイルを介して前記シールド部材が接続された前記グランド線と接続されていることを特徴とする遊技機。」
(この発明を「本願発明」という。)
　
　一方、原査定の拒絶の理由に引用された特開平４−２４１８８９号公報(引用例１)および特開平７−５１４５７号公報(引用例２)に記載された発明は、前記したとおりである。
　
１０．対比・判断
　本願発明は 前記２．で検討した本願補正発明の「ＣＰＵを含む制御基板」及び「制御基板内のＣＰＵを含む回路」から「ＣＰＵを含む」という技術事項を除き、それぞれ「制御基板」及び「制御基板内の回路」としたものである。
　そうすると、本願発明の構成要件をすべて含み、さらに他の構成要件を付加したものに相当する本願補正発明が、前記７．に記載したとおり、引用発明１、引用例２記載の技術及び引用発明２に基づいて当業者が容易に発明をすることができたものであるから、本願発明も、同様の理由により、当業者が容易に発明をすることができたものである。
　
１１．むすび
　以上のとおり、本願発明は、引用発明１、引用例２記載の技術及び引用発明２に基づいて当業者が容易に発明をすることができたものであり、特許法第２９条第２項の規定により特許を受けることができない。
　したがって、本願は、拒絶されるべきものである。
　よって、結論のとおり審決する。